(57)【要約】【課題】画像通話開始時間を短縮させるための移動通信網における画像通話サービス提供方法を提示する。【解決手段】本発明の画像通話サービス提供方法のために移動通信端末は、画像通話のためのプロファイル情報を格納しており、発信移動通信端末が呼を試みることによって、移動通信システムが発信移動通信端末と着信移動通信端末との間の呼をセットアップした後に呼を設定するステップと、発信移動通信端末がプロファイル情報を移動通信システムに伝送することによって、移動通信システムが発信移動通信端末のプロファイル情報を着信移動通信端末に伝送するステップと、着信移動通信端末が発信移動通信端末から受信したプロファイル情報を参照して、画像通話が可能であると確認されれば、画像通話のための条件設定後に移動通信システムに応答信号を伝送し、移動通信システムが発信移動通信端末に応答信号を伝送するステップと、移動通信システムが発信移動通信端末と着信移動通信端末との間の通話路を形成するステップとを含む。本発明によれば画像通話開始に必要とする時間を短縮させることができ、これによって、画像通話のためのユーザが感じる遅延時間を最小化することができる。
2008518501.tif 000002
【特許請求の範囲】
【請求項１】
移動通信システムを介した画像通話が可能な移動通信端末機間の画像通話サービスの提供方法であって、前記移動通信端末は画像通話のためのプロファイル情報を格納しており、
発信移動通信端末が呼を試みることによって、前記移動通信システムが発信移動通信端末と着信移動通信端末との間の呼をセットアップした後に呼を設定する第１ステップと；
前記発信移動通信端末が前記プロファイル情報を前記移動通信システムに伝送することによって、前記移動通信システムが前記発信移動通信端末のプロファイル情報を前記着信移動通信端末に伝送する第２ステップと；
前記着信移動通信端末が前記発信移動通信端末から受信したプロファイル情報を参照して、受信したプロファイルで画像通話が可能であると確認されれば、画像通話のための条件を設定した後に前記移動通信システムに応答信号を伝送し、前記移動通信システムが前記発信移動通信端末に前記応答信号を伝送する第３ステップと；
前記移動通信システムが前記発信移動通信端末と前記着信移動通信端末との間の通話路を形成する第４ステップと；
を含む移動通信網における画像通話サービス提供方法。
【請求項２】
移動通信システムを介した画像通話が可能な移動通信端末機間の画像通話サービスの提供方法であって、前記移動通信端末は画像通話のためのプロファイル情報を格納しており、
発信移動通信端末が呼を試みることによって、前記移動通信システムが発信移動通信端末と着信移動通信端末との間の呼をセットアップした後に呼を設定する第１ステップと；
前記発信移動通信端末が前記プロファイル情報を前記移動通信システムに伝送することによって、前記移動通信システムが前記発信移動通信端末のプロファイル情報を前記着信移動通信端末に伝送する第２ステップと；
前記着信移動通信端末が前記プロファイル情報に対する応答信号を前記発信移動通信端末に指定された時間内に伝送しない場合、マスタ／スレーブ決定および応答過程、端末特性情報交換過程、多重化情報交換過程、音声伝送のための論理チャネル生成過程および画像伝送のための論理チャネル生成過程を行い、前記発信移動通信端末および着信移動通信端末間にネゴシエーションがなされる第３ステップと；
前記移動通信システムが前記発信移動通信端末と前記着信移動通信端末との間の通話路を形成する第４ステップと；
を含む移動通信網における画像通話サービス提供方法。
【請求項３】
移動通信システムを介した画像通話が可能な移動通信端末機間の画像通話サービスの提供方法であって、前記移動通信端末は画像通話のためのプロファイル情報を格納しており、
発信移動通信端末が呼を試みることによって、前記移動通信システムが発信移動通信端末と着信移動通信端末との間の呼をセットアップした後に呼を設定する第１ステップと；
前記発信移動通信端末と着信移動通信端末との間の回線接続および割当過程を開始する第２ステップと；
前記発信移動通信端末が前記プロファイル情報を前記移動通信システムに伝送することによって、前記移動通信システムが前記発信移動通信端末のプロファイル情報を前記着信移動通信端末に伝送する第３ステップと；
前記着信移動通信端末が前記発信移動通信端末から受信したプロファイル情報を参照して受信したプロファイルで画像通話が可能であると確認されれば、画像通話のための条件を設定した後に前記移動通信システムに応答信号を伝送し、前記移動通信システムが前記発信移動通信端末に前記応答信号を伝送する第４ステップと；
前記第２ステップで開始した回線接続および割当過程を中断する第５ステップと；
前記移動通信システムが前記発信移動通信端末と前記着信移動通信端末との間の通話路を形成する第６ステップと；
を含む移動通信網における画像通話サービス提供方法。
【請求項４】
前記画像通話のためのプロファイル情報は、音声コーデック情報、画像コーデック情報、多重化情報および論理チャネル情報を含むことを特徴とする請求項１ないし請求項３のいずれか１項に記載の移動通信網における画像通話サービス提供方法。
【請求項５】
前記画像通話はＨ．３２４Ｍプロトコルを介してなされ、前記画像通話のためのプロファイル情報は前記Ｈ．３２４Ｍプロトコルに含まれたＨ．２４５内のユーザ入力指示メッセージを介して伝送されることを特徴とする請求項１ないし請求項３のいずれか１項に記載の移動通信網における画像通話サービス提供方法。
【請求項６】
前記画像通話のためのプロファイル情報の伝送時に前記プロファイル情報を識別できるオブジェクト識別子を共に伝送することを特徴とする請求項１ないし請求項３のいずれか１項に記載の移動通信網における画像通話サービス提供方法。
【請求項７】
前記オブジェクト識別子はオブジェクトフィールドおよびデータフィールドからなり、前記オブジェクトフィールドは移動通信事業者名、画像通話プロトコル名、メッセージ伝送理由およびプロファイル種類を含み、前記データフィールドは前記プロファイルの詳細情報が記録されることを特徴とする請求項６に記載の移動通信網における画像通話サービス提供方法。
【請求項８】
前記画像通話のためのプロファイル情報は複数生成され、優先順位を有し前記移動通信端末に格納され、前記移動通信端末が前記プロファイル情報を伝送するステップは、
優先順位が最も高いプロファイル情報を伝送した後、前記プロファイル情報を受信した移動通信端末が応答信号を伝送しない場合、優先順位を下げながらプロファイル情報を伝送するステップであることを特徴とする請求項１ないし請求項３のいずれか１項に記載の移動通信網における画像通話サービス提供方法。
【請求項９】
前記第２ステップ以降、前記第３ステップを行う前に、
前記着信移動通信端末が前記プロファイル情報を前記移動通信システムに伝送することによって、前記移動通信システムが前記着信移動通信端末のプロファイル情報を前記発信移動通信端末に伝送する第５ステップと；前記発信および着信移動通信端末がデータ受信を準備する第６ステップと；をさらに含み、
前記第３ステップ以降、前記第４ステップを行う前に、
前記発信移動通信端末が前記着信移動通信端末から受信したプロファイル情報を参照して受信したプロファイルで画像通話が可能であると確認されれば、画像通話のための条件を設定した後に前記移動通信システムに応答信号を伝送し、前記移動通信システムが前記着信移動通信端末に前記応答信号を伝送する第７ステップと；
をさらに含むことを特徴とする請求項１または請求項２に記載の移動通信網における画像通話サービス提供方法。
【請求項１０】
前記第３ステップ以降、前記第４ステップを行う前に、
前記着信移動通信端末が前記プロファイル情報を前記移動通信システムに伝送することによって、前記移動通信システムが前記着信移動通信端末のプロファイル情報を前記発信移動通信端末に伝送する第６ステップと；前記発信および着信移動通信端末がデータ受信を準備する第７ステップと；をさらに含み、
前記第４ステップ以降、前記第５ステップを行う前に、
前記発信移動通信端末が前記着信移動通信端末から受信したプロファイル情報を参照して受信したプロファイルで画像通話が可能であると確認されれば、画像通話のための条件を設定した後に前記移動通信システムに応答信号を伝送して、前記移動通信システムが前記着信移動通信端末に前記応答信号を伝送する第８ステップと；
をさらに含むことを特徴とする請求項３に記載の移動通信網における画像通話サービス提供方法。
【請求項１１】
前記第２ステップの回線接続および割当過程は、マスタ／スレーブ決定および応答過程、端末特定情報交換過程、多重化情報交換過程、音声伝送のための論理チャネル生成過程および画像伝送のための論理チャネル生成過程を含むことを特徴とする請求項３に記載の移動通信網における画像通話サービス提供方法。
【発明の詳細な説明】
【技術分野】
【０００１】
本発明は、画像通話サービス方法に関し、より詳しくは、画像通話開始時間を短縮させるための移動通信網における画像通話サービスの提供方法に関するものである。
【背景技術】
【０００２】
画像通話サービスとは、カメラが取付けられた移動通信端末を介して相手側を見ながら通話するサービスであって、交換機を用いた回線交換方式とオールＩＰ（Ａｌｌ−ＩＰ）網を用いたパケット交換方式に分類することができる。
【０００３】
図１は、画像通話サービスを提供するための移動通信網構成の一例図である。
【０００４】
発信移動通信端末１０から画像通話のための呼を試みれば、基地局１２でこれを受信して、基地局制御機１４および交換機１６を介して着信移動通信端末が接続された交換機２６、基地局制御機２４および基地局２２を介して着信移動通信端末２０と画像通話を行うようになる。回線交換方式を用いる場合には上述したように、画像通話サービスが交換機１６，２６を介して接続されるが、オールＩＰ網を用いたパケット交換方式を適用する場合には、基地局制御機１４，２４に接続されるＧＰＲＳ（Ｇｅｎｅｒａｌ  Ｐａｃｋｅｔ  Ｒａｄｉｏ  Ｓｅｒｖｉｃｅ）サービス提供レジスタ、すなわち、ＳＧＳＮ（Ｓｅｒｖｉｎｇ  ＧＰＲＳ  Ｓｕｐｐｏｒｔ  Ｎｏｄｅ、３０）およびＧＰＲＳのゲートウェイ提供レジスタ、すなわち、ＧＧＳＮ（Ｇａｔｅｗａｙ  ＧＰＲＳ  Ｓｕｐｐｏｒｔ  Ｒｅｇｉｓｔｅｒ、３２）を介してサービスがなされる。
【０００５】
このような画像通話サービスを提供するためには、ＩＴＵ（Ｉｎｔｅｒｎａｔｉｏｎａｌ  Ｔｅｌｅｃｏｍｍｕｎｉｃａｔｉｏｎ  Ｕｎｉｏｎ）で定義する国際標準のＨ．３２３またはＨ．３２４Ｍプロトコルを移動通信システムに具現しなければならない。Ｈ．３２３はパケットデータ網であるＩＰ網で画像電話サービス提供を可能にするシステムプロトコルであり、Ｈ．３２４は公衆網を基準に開発されたシステムプロトコルであり、Ｈ．３２４Ｍ（Ｍｏｂｉｌｅ）はＨ．３２４を移動通信用に改良したものである。
【０００６】
Ｈ．３２４Ｍをシステムプロトコルとして用いる画像通話サービスにおいて、動画像の圧縮および符号化はＨ．２６１およびＨ．２６３を用いて行い、音声符号化はＧ．７２３．１を用いて行っている。ここで、Ｈ．２６１は映像電話および映像会議用の動画像圧縮／符号化方式の規格であり、Ｈ．２６３およびＭＰＥＧ−４は、Ｈ．２６１よりも改善された映像圧縮／符号化規格である。また、Ｇ．７２３．１は、音声信号を８ｋｂｐｓ以下に変換する規格である。３ＧＰＰで用いる画像標準は、Ｈ．３２４Ｍを３ＧＰＰに合うように修正した３Ｇ−３２４Ｍである。Ｈ．３２４Ｍと大きく異なる点は、音声コーデックとしてＡＭＲ（Ａｄａｐｔｉｖｅ  Ｍｕｌｔｉ−Ｒａｔｅ）を基本的に用い、Ｇ．７２３．１を選択仕様にしたものであるである。
【０００７】
さらに、Ｈ．３２４Ｍでは、動画、音声およびデータを多重化するためにＨ．２２３を用いて、音声コーデックの選択と論理的なチャネルの信号機能実行として点と点の間または点と複数点の間のチャネルを割り当てるために、Ｈ．２４５を用いる。
【０００８】
図２は、一般的な画像通話サービス方法を説明するためのフローチャートであって、３Ｇ−３２４Ｍプロトコルを用いる場合の例を示す。
【０００９】
図示したように、発信移動通信端末が画像通話サービスを用いるために呼を試みれば、Ｈ．２２３を用いてセットアップがなされ（Ｓ１０）、その後に呼が設定されるようになる（Ｓ２０）。呼設定がなされた後には、Ｈ．２４５を用いた発信および着信移動通信端末間のネゴシエーションによって回線接続および割当過程が行われる（Ｓ３０）。これにより通話路が形成されれば、動画、音声、データ（図、写真など）が発信および着信移動通信端末間に交換されるようになる（Ｓ４０〜Ｓ６０）。
【００１０】
図３は、図２の回線接続および割当過程を具体的に説明するためのフローチャートである。回線接続および割当過程は、発信移動通信端末と着信移動通信端末で用いる音声コーデックおよび画像コーデックが各々相異する場合、移動通信端末の特性情報を交換して画像通話が可能な状態に設定するための過程である。
【００１１】
図示したように、発信移動通信端末と着信移動通信端末との間の回線接続および割当のために、マスタ／スレーブ決定および応答過程（Ｓ３１０）、端末特性情報交換過程（Ｓ３２０）、多重化情報交換過程（Ｓ３３０）、音声伝送のための論理チャネル生成過程（Ｓ３４０）および画像伝送のための論理チャネル生成過程（Ｓ３５０）が行われる。
【００１２】
このように、現在は画像通話のためのネゴシエーション過程が複雑で、多くの時間が必要とされるため、呼設定後に直ちに通話路が形成されて通話がなされずにネゴシエーション過程を行うほどの時間が遅延する問題がある。
【発明の開示】
【発明が解決しようとする課題】
【００１３】
本発明は、上述した問題点を解決するために案出されたものであり、画像通話開始のためのネゴシエーション過程を単純化して、呼設定後に時間遅延なく通話がなされ得る画像通話サービス提供方法を提供することにその技術的課題がある。
【００１４】
本発明の他の技術的課題は、画像通話を早く開始しつつ、発着信端末間のデータ(動画、音声、メディアなど)送受信の時点を明確にすることができる画像通話サービス提供方法を提供することにある。
【課題を解決するための手段】
【００１５】
上述した技術的課題を達成するための本発明の移動通信システムを介した画像通話が可能な移動通信端末機間の画像通話サービス提供方法は一実施形態でとして、前記移動通信端末は、画像通話のためのプロファイル情報を格納しており、発信移動通信端末が呼を試みることによって、前記移動通信システムが発信移動通信端末と着信移動通信端末との間の呼をセットアップした後に呼を設定する第１ステップと；前記発信移動通信端末が前記プロファイル情報を前記移動通信システムに伝送することによって、前記移動通信システムが前記発信移動通信端末のプロファイル情報を前記着信移動通信端末に伝送する第２ステップと；前記着信移動通信端末が前記発信移動通信端末から受信したプロファイル情報を参照して、受信したプロファイルで画像通話が可能であると確認されれば、画像通話のための条件を設定した後に前記移動通信システムに応答信号を伝送し、前記移動通信システムが前記発信移動通信端末に前記応答信号を伝送する第３ステップと；前記移動通信システムが前記発信移動通信端末と前記着信移動通信端末との間の通話路を形成する第４ステップと；を含む。
【００１６】
また、本発明の他の実施形態に係る画像通話サービス提供方法は、前記移動通信端末が画像通話のためのプロファイル情報を格納しており、発信移動通信端末が呼を試みることによって、前記移動通信システムが発信移動通信端末と着信移動通信端末との間の呼をセットアップした後に呼を設定する第１ステップと；前記発信移動通信端末が前記プロファイル情報を前記移動通信システムに伝送することによって、前記移動通信システムが前記発信移動通信端末のプロファイル情報を前記着信移動通信端末に伝送する第２ステップと；前記着信移動通信端末が前記プロファイル情報に対する応答信号を前記発信移動通信端末に指定された時間内に伝送しない場合、マスタ／スレーブ決定および応答過程、端末特性情報交換過程、多重化情報交換過程、音声伝送のための論理チャネル生成過程および画像伝送のための論理チャネル生成過程を行い、前記発信移動通信端末および着信移動通信端末間にネゴシエーションがなされる第３ステップと；前記移動通信システムが前記発信移動通信端末と前記着信移動通信端末との間の通話路を形成する第４ステップと；を含む。
【００１７】
本発明のまた他の実施形態に係る画像通話サービス提供方法は、発信移動通信端末が呼を試みることによって、前記移動通信システムが発信移動通信端末と着信移動通信端末との間の呼をセットアップした後に呼を設定する第１ステップと；前記発信移動通信端末と着信移動通信端末との間の回線接続および割当過程を開始する第２ステップと；前記発信移動通信端末がプロファイル情報を前記移動通信システムに伝送することによって、前記移動通信システムが前記発信移動通信端末のプロファイル情報を前記着信移動通信端末に伝送する第３ステップと；前記着信移動通信端末が前記発信移動通信端末から受信したプロファイル情報を参照して受信したプロファイルで画像通話が可能であると確認されれば、画像通話のための条件を設定した後に前記移動通信システムに応答信号を伝送し、前記移動通信システムが前記発信移動通信端末に前記応答信号を伝送する第４ステップと；前記第２ステップで開始した回線接続および割当過程を中断する第５ステップと；前記移動通信システムが前記発信移動通信端末と前記着信移動通信端末との間の通話路を形成する第６ステップと；を含む。
【発明を実施するための最良の形態】
【００１８】
以下、添付された図面を参照して、本発明の好ましい実施形態をより詳細に、説明することにする。以下では３Ｇ−３２４Ｍプロトコルを用いて画像通話サービスを提供する場合を例に挙げて説明する。
【００１９】
移動通信端末のハードウェア的な特性上、画像通話のために移動通信端末で用いる音声コーデックおよび画像コーデックの種類、多重化情報、論理チャネルの種類などは限定されているため、画像通話が可能な移動通信端末はいくつの種類に分類することができる。したがって、各移動通信端末の音声コーデック情報、画像コーデック情報、多重化情報、論理チャネル情報などを含む、移動通信端末のプロファイルを生成しておいて、画像通話のためのネゴシエーション過程で活用することができる。
【００２０】
これは、ネゴシエーション過程を行うＨ．２４５がユーザ入力指示（Ｕｓｅｒ  Ｉｎｐｕｔ  Ｉｎｄｉｃａｔｉｏｎ）メッセージを含んでいるため可能である。すなわち、移動通信端末に画像通話のためのプロファイル情報を格納しておいて、画像通話のためのネゴシエーション過程で相手移動通信端末にユーザ入力指示メッセージを用いてプロファイルを伝送し、応答を受信すれば直ちに通話が開始されるようにするものである。このようにすることにより、複雑なネゴシエーション過程を実行しなくとも画像通話が開始され得、これによって、画像通話時に発生する遅延を最小化することができる。
【００２１】
図４は、本発明の第１実施形態に係る画像通話サービス方法を説明するためのフローチャートである。本発明のために画像通話が可能な移動通信端末は、音声コーデック情報、画像コーデック情報、多重化情報、論理チャネル情報などを含むプロファイルを予め格納していなければならない。
【００２２】
先ず、発信移動通信端末が画像通話サービスを用いるために呼を試みれば、Ｈ．２２３を用いてセットアップがなされ（Ｓ１０）、その後に呼が設定されるようになる（Ｓ２０）。呼設定がなされた後には、Ｈ．２４５を用いたネゴシエーション過程（Ｓ７０）が行われる。
【００２３】
ネゴシエーション過程（Ｓ７０）を行うために、発信移動通信端末が既に格納されたプロファイル情報を移動通信システムに伝送すれば、移動通信システムはこれを着信移動通信端末に伝送し（Ｓ７１０）、着信移動通信端末は発信移動通信システムから受信したプロファイル情報を参照して、画像通話が可能であると確認されれば、画像通話のための条件を設定した後移動通信システムを介して発信移動通信端末に応答信号を伝送する（Ｓ７２０）。
【００２４】
これにより通話路が形成されれば、動画、音声、データ（図、写真など）が発信および着信移動通信端末間に交換されるようになる（Ｓ４０〜Ｓ６０）。
【００２５】
このように、本発明ではネゴシエーション過程を単純化したために呼設定後に通話が開始されるまで必要とする時間を短縮させられ、したがって、ユーザが画像通話のために待機することにより生ずる不便さを解消することができる。
【００２６】
一方、移動通信端末は、各々１つの音声コーデックおよび画像コーデックを用いることもできるが、複数の音声コーデック（例えば、Ｇ．７２３．１、ＡＭＲなど）および複数の画像コーデック（Ｈ．２６１、Ｈ．２６３など）を用いることもできる。この場合には、移動通信端末に画像通話のための複数のプロファイルを生成して優先順位を指定しておく。そして、画像通話のためのネゴシエーション過程で優先順位が最も高いプロファイルを着信移動通信端末に伝送し、着信移動通信端末が、これに応答しない場合には、優先順位を下げながら着信移動通信端末が応答信号を伝送する時までプロファイルを伝送する。
【００２７】
図５は、本発明の第２実施形態に係る画像通話サービス方法を説明するためのフローチャートであって、本発明に係るネゴシエーション過程時着信移動通信端末からプロファイル情報伝送に対する応答信号が受信されない場合を示す。本実施形態は、着信移動通信端末が発信移動通信端末のプロファイル情報を参照して画像通話可能有無を確認した結果、発信移動通信端末の画像通話を受け入れない場合に適用される。
【００２８】
先ず、発信移動通信端末が画像通話サービスを用いるために呼を試みれば、Ｈ．２２３を用いてセットアップがなされ（Ｓ１０）、その後に呼が設定されるようになる（Ｓ２０）。呼設定がなされた後、発信移動通信端末はＨ．２４５を用いたネゴシエーション過程を行うために、既に格納されたプロファイル情報を移動通信システムに伝送して、移動通信システムはこれを着信移動通信端末に伝送する（Ｓ７１０）。
【００２９】
その後、指定された時間の間に着信端末から応答信号が受信されなければ、通常のネゴシエーション過程を介して回線接続および割当を行う（Ｓ３０）。すなわち、マスタ／スレーブ決定および応答過程、端末特性情報交換過程、多重化情報交換過程、音声伝送のための論理チャネル生成過程および画像伝送のための論理チャネル生成過程を行うのである。
【００３０】
これにより通話路が形成されれば、動画、音声、データ（図、写真など）が発信および着信移動通信端末間に交換されるようになる（Ｓ４０〜Ｓ６０）。
【００３１】
図６は、本発明の第３実施形態に係る画像通話サービス方法を説明するためのフローチャートである。本発明のために画像通話が可能な移動通信端末は、音声コーデック情報、画像コーデック情報、多重化情報、論理チャネル情報などを含むプロファイルをあらかじめ格納していなければならない。
【００３２】
先ず、発信移動通信端末が画像通話サービスを利用するために呼を試みると、Ｈ．２２３を用いてセットアップがなされ（Ｓ１０）、その後に呼が設定されるようになる（Ｓ２０）。呼設定がなされた後には、Ｈ．２４５を用いたネゴシエーション過程（Ｓ８０）が行われる。
【００３３】
ネゴシエーション過程（Ｓ８０）を行うために、先ず発信移動通信端末が既に格納されているプロファイル情報を移動通信システムに伝送すれば、移動通信システムはこれを着信移動通信端末に伝送する（Ｓ８１０）。同じように、着信移動通信端末が既に格納されているプロファイル情報を移動通信システムに伝送すれば、移動通信システムはこれを発信移動通信端末に伝送する（Ｓ８２０）。各々プロファイル情報を受信した発信および着信移動通信端末は、相手側から応答を待つ間に相手側のデータを受信する準備をする（Ｓ８３０，Ｓ８４０）。
【００３４】
その後、着信移動通信端末は、移動通信システムから受信した発信側のプロファイル情報を参照して、画像通話が可能であると確認されれば、画像通話のための条件を設定した後移動通信システムを介して発信移動通信端末に応答信号を伝送する（Ｓ８５０）。そして、発信移動通信端末もまた移動通信システムから受信した着信側のプロファイル情報を参照して、画像通話が可能であると確認されれば、画像通話のための条件を設定した後移動通信システムを介して着信移動通信端末に応答信号を伝送する（Ｓ８６０）。
【００３５】
これに伴い、通話路が形成されれば、動画、音声、データ（図、写真など）が発信および着信移動通信端末間に交換されるようになる（Ｓ４０〜Ｓ６０）。
【００３６】
このように、本実施形態では、発信移動通信端末のプロファイル情報を着信移動通信端末に伝送することに加え、着信移動通信端末のプロファイル情報を発信移動通信端末に伝送することによって、ネゴシエーション過程が成功裏に完了した後データを送受信する時点を明確にすることができる。
【００３７】
さらに、移動通信端末に複数のプロファイル情報が格納されている場合、ネゴシエーション情報プロファイルを伝送するステップ（Ｓ８１０，Ｓ８２０）で複数のプロファイル情報を全てまたは順次伝送することができ、これを受信した移動通信端末は最適のプロファイルを選択し、選択されたプロファイル情報を含めて応答信号を伝送することができる。
【００３８】
一方、図示してはいないが、プロファイル情報を着信および発信移動通信端末に伝送した後、いずれか一つの移動通信端末から指定された時間の間に応答信号が伝送されない場合には、通常のネゴシエーション過程を介して回線接続および割当を行う。すなわち、マスタ／スレーブ決定および応答過程、端末特性情報交換過程、多重化情報交換過程、音声伝送のための論理チャネル生成過程および画像伝送のための論理チャネル生成過程を行うものである。
【００３９】
以上で説明した第１〜第３実施形態に係る画像通話サービス提供方法では、画像通話のためのプロファイル情報を用いてネゴシエーション過程を短縮することができるが、このようなネゴシエーション過程で失敗する場合には、通常のネゴシエーション過程（図３参照）、すなわち、回線接続および割当過程を用いてネゴシエーションを再び試さなければならない。したがって、短縮されたネゴシエーション過程を行う時間に加えて、通常の回線接続および割当過程を行うための時間が必要になるため、このような不要な時間を短縮させる必要がある。このために、通常のＨ．２４５を用いた回線接続および割当過程と図４および図６で説明したプロファイル情報を用いたネゴシエーション過程を併行して処理し、プロファイルを用いたネゴシエーション過程が成功裏に完了すれば、Ｈ．２４５を用いた回線接続および割当過程を中断する方案を考えることができる。
【００４０】
図７は、本発明の第４実施形態に係る画像通話サービス方法を説明するためのフローチャートである。
【００４１】
先ず、発信移動通信端末が画像通話サービスを利用するために呼を試みると、Ｈ．２２３を用いてセットアップがなされ（Ｓ１０）、その後に呼が設定されるようになる（Ｓ２０）。
【００４２】
呼設定がなされた後には、Ｈ．２４５を通常のネゴシエーション過程（図３参照）すなわち、回線接続および割当過程を開始する（Ｓ３２）。これと共に、画像通話のためのプロファイル情報を用いたネゴシエーション過程を同時に進めるが、このために発信移動通信端末が既に格納されているプロファイル情報を移動通信システムに伝送すれば、移動通信システムはこれを着信移動通信端末に伝送する（Ｓ７１０）。以降、着信移動通信端末は、移動通信システムから受信した発信側のプロファイル情報を参照して、画像通話が可能であると確認されれば、画像通話のための条件を設定した後移動通信システムを介して発信移動通信端末に応答信号を伝送する（Ｓ７２０）。
【００４３】
このように、着信移動通信端末からプロファイル情報受信に対する応答を受信したため、すなわちプロファイル情報によるネゴシエーションが成功裏に行われたため、発信および着信移動通信端末間で行われていた通常のＨ．２４５ネゴシエーション過程は中断され（Ｓ３４）、その後からはステップＳ７０でなされたネゴシエーション条件によって、動画、音声、データ（図、写真など）が発信および着信移動通信端末間に交換されるようになる（Ｓ４０〜Ｓ６０）。
【００４４】
本実施形態においても、移動通信端末に複数のプロファイル情報が格納されている場合、ネゴシエーション情報プロファイルを伝送するステップ（Ｓ７１０）で複数のプロファイル情報を全てまたは順次伝送することができ、これを受信した移動通信端末は最適のプロファイルを選択し、選択されたプロファイル情報を含めて応答信号を伝送することができる。
【００４５】
一方、図には示していないが、プロファイル情報を着信移動通信端末に伝送した後、着信移動通信端末から指定された時間の間に応答信号が伝送されない場合には、ステップＳ３２で開始した通常のＨ．２４５ネゴシエーション過程を介して回線接続および割当を行う。
【００４６】
図８は、本発明の第５実施形態に係る画像通話サービス方法を説明するためのフローチャートである。
【００４７】
先ず、発信移動通信端末が画像通話サービスを利用するために呼を試みると、Ｈ．２２３を用いてセットアップがなされ（Ｓ１０）、その後に呼が設定されるようになる（Ｓ２０）。
【００４８】
呼設定がなされた後には、Ｈ．２４５を通常のネゴシエーション過程（図３参照）すなわち、回線接続および割当過程を開始する（Ｓ３２）。これと共に画像通話のためのプロファイル情報を用いたネゴシエーション過程を同時に進めるが、このために先ず発信移動通信端末が既に格納されているプロファイル情報を移動通信システムに伝送すれば、移動通信システムはこれを着信移動通信端末に伝送する（Ｓ８１０）。同じように、着信移動通信端末が既に格納されているプロファイル情報を移動通信システムに伝送すれば、移動通信システムはこれを発信移動通信端末に伝送する（Ｓ８２０）。各々プロファイル情報を受信した発信および着信移動通信端末は、相手側から応答を待つ間に相手側のデータを受信する準備をする（Ｓ８３０，Ｓ８４０）。
【００４９】
その後、着信移動通信端末は、移動通信システムから受信した発信側のプロファイル情報を参照して、画像通話が可能であると確認されれば、画像通話のための条件を設定した後移動通信システムを介して発信移動通信端末に応答信号を伝送する（Ｓ８５０）。そして、発信移動通信端末もまた移動通信システムから受信した着信側のプロファイル情報を参照して、画像通話が可能であると確認されれば、画像通話のための条件を設定した後移動通信システムを介して着信移動通信端末に応答信号を伝送する（Ｓ８６０）。
【００５０】
このように、発信および着信移動通信端末が相手側からプロファイル情報受信に対する応答を受信したため、すなわちプロファイル情報によるネゴシエーションが成功裏に行われたため、発信および着信移動通信端末間で行われていた通常のＨ．２４５ネゴシエーション過程は中断され（Ｓ３４）、その後からはステップＳ８０でなされたネゴシエーション条件によって、動画、音声、データ（図面、写真など）が発信および着信移動通信端末間に交換されるようになる（Ｓ４０〜Ｓ６０）。
【００５１】
本実施形態においても、移動通信端末に複数のプロファイル情報が格納されている場合、ネゴシエーション情報プロファイルを伝送するステップ（Ｓ８１０，Ｓ８２０）で複数のプロファイル情報を全てまたは順次伝送することができ、これを受信した移動通信端末は最適のプロファイルを選択し、選択されたプロファイル情報を含めて応答信号を伝送することができる。
【００５２】
一方、図示していないが、プロファイル情報を着信移動通信端末に伝送した後、着信移動通信端末から指定された時間の間に応答信号が伝送されない場合にはステップＳ３２で開始した通常のＨ．２４５ネゴシエーション過程を介して回線接続および割当を行う。
【００５３】
このように、本発明の第４および第５実施形態では、通常のＨ．２４５ネゴシエーション過程とプロファイル情報によるネゴシエーション過程を同時に進め、２種類のネゴシエーション過程のうち、先にネゴシエーションがなされたプロトコルによって画像通話がなされるようにすることにより、プロファイル情報交換によるネゴシエーション過程失敗後の通常のＨ．２４５ネゴシエーション過程を行うことによって必要となる時間を短縮させることができる。
【００５４】
一方、本発明では移動通信端末のプロファイル情報を伝送するために、Ｈ．２４５に定義されたユーザ入力指示メッセージのうち、例えば、「ＮｏｎＳｔａｎｄａｒｄ」というパラメータを用いることができ、伝送されるメッセージの種類を識別することができるようにオブジェクト識別子（Ｏｂｊｅｃｔ  Ｉｄｅｎｔｉｆｉｅｒ；ＯＩＤ）を共に伝送する。オブジェクト識別子は、オブジェクトフィールドおよびデータフィールドからなっているが、オブジェクトフィールドは、事業者名、画像通話プロトコル名、メッセージ伝送理由およびプロファイル種類を示す情報フィールドであり、データフィールドにはオブジェクトフィールドのプロファイル種類に該当するプロファイルの詳細情報が記録される。
【００５５】
ここで、プロファイル情報をいくつかに分類できるのは、移動通信端末のハードウェア的特性上使用可能な音声コーデックおよび画像コーデック種類、論理チャネル種類などが限定的であるためである。
【００５６】
表１はオブジェクト識別子の例を示す。
【表１】
2008518501.tif 000003
【００５７】
さらに、次は音声コーデックにＡＭＲを用いて、画像コーデックにＨ．２６３を用いる場合のプロファイル情報の一例である。
* Master/slave determination
発信端末:Master
着信端末:Slave
* Multiplex
H.223 capability
ビデオ：ＡＬ２、ＡＬ３支援
オーディオ：ＡＬ２支援
NSRP support
H.223Annex A、B適用
細部データ
videoWithAL2 TRUE,
videoWithAL3 TRUE,
audioWithAL2 TRUE,
maximumAl2SDUSize 6000,
maximumAl3SDUSize 6000,
maximumDelayJitter 0,
maxMUXPDUSizeCapability TRUE,
nsrpSupport TRUE,
mobileOperationTransmitCapability
{
modeChangeCapability TRUE,
h223AnnexA TRUE,
h223AnnexADoubleFlag TRUE,
h223AnnexB TRUE,
h223AnnexBwithHeader TRUE
}
Audio
AMR 12.2Kbps使用
細部データ
capabilityIdentifier standard:{ 0 0 8 245 1 1 1 },
maxBitRate 122,
collapsing
{
{
parameterIdentifier standard:0,
parameterValue unsignedMin:1
}
}
Video
H.263 baseline QCIF使用
細部データ
qcifMPI 2,
maxBitRate 560,
unrestrictedVector FALSE,(Annex D)
arithmeticCoding FALSE,(Annex E)
advancedPrediction FALSE,(Annex F)
pbFrames FALSE,(Annex G)
temporalSpatialTradeOffCapability FALSE
Multiplex table entry
LCN1:Audio、LCN2:Video
【表２】
2008518501.tif 000004
Logical channels
1:Audio(AMR)、AL2使用
H.223 parameter
adaptationLayerType al2WithoutSequenceNumbers:NULL,
segmentableFlag FALSE
2:Video(H.263),AL2使用
H.223 parameter
adaptationLayerType al2WithSequenceNumbers:NULL,
segmentableFlag TRUE
【００５８】
このように、本発明が属する技術分野の当業者は、本発明がその技術的思想や必須特徴を変更せず、他の具体的な形態で実施できることを理解することができる。したがって、以上で記述した実施形態はすべての面で例示的なものであり、限定的なものではないものと理解しなければならない。本発明の範囲は前記詳細な説明よりは特許請求の範囲によって示され、特許請求の範囲の意味および範囲、そしてその等価概念から導き出されるすべての変更または変形された形態が本発明の範囲に含まれると解釈しなければならない。
【産業上の利用可能性】
【００５９】
本発明によれば、画像通話開始のための複雑なネゴシエーション過程を単純化して、画像通話開始に必要となる時間を短縮させることができ、これによって、画像通話のためのユーザが感じる遅延時間を最小化することができる。
【００６０】
また、画像通話のためのプロファイル情報を発信および着信移動通信端末が相互交換する場合には、データ送受信の時点を明確にできて通話開始時点をより短縮させることができる。
【００６１】
それだけでなく、画像通話のためのプロファイル情報交換によるネゴシエーション過程および通常のＨ．２４５ネゴシエーション過程を共に開始し、２種類のネゴシエーション過程のうち、先にネゴシエーションがなされたプロトコルによって、画像通話がなされるようにすることにより、プロファイル情報交換によるネゴシエーション過程失敗後の通常のＨ．２４５ネゴシエーション過程を行うことによって必要となる時間を短縮させることができる。
【図面の簡単な説明】
【００６２】
【図１】画像通話サービスを提供するための移動通信網構成の一例図である。
【図２】一般的な画像通話サービス方法を説明するためのフローチャートである。
【図３】図２の回線接続および割当過程を具体的に説明するためのフローチャートである。
【図４】本発明の第１実施形態に係る画像通話サービス方法を説明するためのフローチャートである。
【図５】本発明の第２実施形態に係る画像通話サービス方法を説明するためのフローチャートである。
【図６】本発明の第３実施形態に係る画像通話サービス方法を説明するためのフローチャートである。
【図７】本発明の第４実施形態に係る画像通話サービス方法を説明するためのフローチャートである。
【図８】本発明の第５実施形態に係る画像通話サービス方法を説明するためのフローチャートである。
【図１】
2008518501.tif 000005
【図２】
2008518501.tif 000006
【図３】
2008518501.tif 000007
【図４】
2008518501.tif 000008
【図５】
2008518501.tif 000009
【図６】
2008518501.tif 000010
【図７】
2008518501.tif 000011
【図８】
2008518501.tif 000012
【国際調査報告】
2008518501.tif 000013
2008518501.tif 000014